(57)【要約】【課題】外付けの調光器を必要としない照明器具であっても、簡単に設置位置を把握することを可能にする。【解決手段】  実施形態に係る照明制御システムは、各照明器具の取付位置に夫々対応した各接続端子を介して前記各照明器具からＲＤＭ信号を受信し、前記各接続端子に対応するアドレス情報を付加して送信するＲＤＭノード設定部と；前記ＲＤＭノード設定部からの送信情報を受信し、前記各照明器具の取付位置を各照明器具毎に求める照明制御部と；を具備する。【選択図】図１
2014216303.tif 000002
【特許請求の範囲】
【請求項１】
各照明器具の取付位置に夫々対応した各接続端子を介して前記各照明器具からＲＤＭ信号を受信し、前記各接続端子に対応するアドレス情報を付加して送信するＲＤＭノード設定部と；
前記ＲＤＭノード設定部からの送信情報を受信し、前記各照明器具の取付位置を各照明器具毎に求める照明制御部と；
を具備した照明制御システム。
【請求項２】
前記各照明器具の取付位置に対応して前記照明器具の各接続端子が設けられた照明用バトン；
を具備した請求項１に記載の照明制御システム。
【請求項３】
ＲＤＭ非対応の照明器具と前記接続端子との間に接続され、前記ＲＤＭ非対応の照明器具に関する情報を保持して、保持した情報を前記ＲＤＭ信号とし送信するＲＤＭ変換部；
を具備した請求項１又は２に記載の照明制御システム。
【発明の詳細な説明】
【技術分野】
【０００１】
本発明の実施形態は、舞台照明等に好適な照明制御システムに関する。
【背景技術】
【０００２】
従来、舞台等に使用される調光システムにおいては、舞台等の照明を調光操作卓により一括制御する方法が一般的である。例えば、調光操作卓によって、舞台照明として演出された照明状態が得られるように調光器を制御するための調光制御情報を生成する。調光操作卓は、この調光制御情報を、例えば、ＤＭＸ５１２（１９９０）（米国劇場技術協会（ＵＳＩＴＴ）規格）の規格に沿った形式のＤＭＸ信号として調光盤に伝送する。
【０００３】
調光盤には各照明器具用の位相制御式の調光器が設けられており、調光操作卓からの調光制御情報によって各調光器が制御されることで、各調光器に対応した照明器具が一括して調光制御されるようになっている。
【０００４】
ところで、調光操作卓において照明空間の照明を自由に制御するためには、調光操作卓から制御する各照明器具が照明空間のいずれの位置に夫々配置されているかを把握する必要がある。ハロゲン機器等の照明器具については、照明器具を取り付ける昇降バトンの取付口と、調光器とを１対１に対応付けることで、照明器具の位置を判断する。
【０００５】
即ち、昇降バトンには各調光器の負荷回路に夫々接続される複数の接続端子（負荷コンセント）が設けられており、各接続端子に各照明負荷の負荷線を夫々接続する。昇降バトンの接続端子と調光器とは１対１に対応しており、昇降バトンの接続端子に対応する照明器具の取付口の照明空間における位置は既知であるので、調光操作卓において、いずれの調光器を制御すればいずれの位置の照明器具を調光制御できるかを把握することができる。
【０００６】
しかし、近年、ＬＥＤ照明機器のように、調光器の負荷回路を必要とすることなく、内蔵する点灯制御手段によって、１００Ｖ商用電源とＤＭＸ等の制御線を接続することで調光点灯制御可能な照明器具も増えてきた。このような照明器具は、調光器とは無関係に配置されることになり、負荷コンセントの場所や数に依存することなく何処にでも設置することができる。このため、このような照明器具については、調光器と対応付けてその設置位置を特定することはできない。
【０００７】
このようなＬＥＤ照明器具の配置位置の特定は、各ＬＥＤ照明器具に固有のＩＤを用いて行われる。即ち、照明バトンの設置位置とその位置に取り付けるＬＥＤ照明器具のＩＤとの対応を、全ての位置のＬＥＤ照明器具毎に登録するのである。しかしこの登録作業は、極めて煩雑である。更に、光源の寿命時には、ハロゲンランプ器具であれば単にランプ交換だけでよいが、ＬＥＤ照明器具の場合には照明器具全体の交換が必要になることが多く、従って、その後にＩＤの再登録作業が必要である。
【先行技術文献】
【特許文献】
【０００８】
【特許文献１】特開２００７−６６５８５号公報
【発明の概要】
【発明が解決しようとする課題】
【０００９】
本発明の実施形態は、外付けの調光器を必要としない照明器具であっても、簡単に設置位置を把握することができる照明制御システムを提供することを目的とする。
【課題を解決するための手段】
【００１０】
実施形態に係る照明制御システムは、各照明器具の取付位置に夫々対応した各接続端子を介して前記各照明器具からＲＤＭ信号を受信し、前記各接続端子に対応するアドレス情報を付加して送信するＲＤＭノード設定部と；前記ＲＤＭノード設定部からの送信情報を受信し、前記各照明器具の取付位置を各照明器具毎に求める照明制御部と；を具備する。
【発明の効果】
【００１１】
本発明の実施形態によれば、外付けの調光器を必要としない照明器具であっても、簡単に設置位置を把握することができるという効果を有する。
【図面の簡単な説明】
【００１２】
【図１】本発明の第１の実施の形態に係る照明制御システムを示す説明図。
【図２】照明バトン１５に設けられた接続端子と照明器具との配置を平面的に示す説明図。
【図３】照明部２が配置される照明空間における各照明器具の配置を示す配置図。
【図４】図１中のＲＤＭノード設定部の具体的な構成を示すブロック図。
【図５】照明制御部３の制御を示すフローチャート。
【図６】ＲＤＭノード設定部１９の制御を示すフローチャート、
【図７】照明バトン１５ａについて各照明器具の配置図の作成を説明するための説明図。
【図８】本発明の第２の実施の形態を示す説明図。
【発明を実施するための最良の形態】
【００１３】
実施形態に係る照明制御システムは、各照明器具の取付位置に夫々対応した各接続端子を介して前記各照明器具からＲＤＭ信号を受信し、前記各接続端子に対応するアドレス情報を付加して送信するＲＤＭノード設定部と；前記ＲＤＭノード設定部からの送信情報を受信し、前記各照明器具の取付位置を各照明器具毎に求める照明制御部と；を具備する。
【００１４】
また、照明制御システムは、前記各照明器具の取付位置に対応して前記照明器具の各接続端子が設けられた照明用バトン；を更に具備する。
【００１５】
また、照明制御システムは、ＲＤＭ非対応の照明器具と前記接続端子との間に接続され、前記ＲＤＭ非対応の照明器具に関する情報を保持して、保持した情報を前記ＲＤＭ信号とし送信するＲＤＭ変換部；を更に具備する。
【００１６】
以下、図面を参照して本発明の実施の形態について詳細に説明する。
【００１７】
（第１の実施の形態）
図１は本発明の第１の実施の形態に係る照明制御システムを示す説明図である。本実施の形態は、演出空間専用の双方向通信であるＲＤＭ（リモートデバイスマネージメント）伝送を利用することで、照明制御部において、外付けの調光器を必要としない照明器具の位置を認識可能にしたものである。なお、ＲＤＭはＥＳＴＡで正式に定義されるプロトコル（ＡＮＳＩ/ＥSTA 1.20, Entertainment Technology - Remote Device Management ）であり、演出空間照明で使用されているＤＭＸ５１２信号のラインを使用して双方向の通信を確立するオープンなプロトコルである。
【００１８】
図１において、照明制御システム１は、テレビスタジオ、劇場、ホール等に設置されるものである。照明制御システム１は、スタジオや舞台等を照明する照明部２，照明部２の点消灯、調光、調色等の照明を制御する照明制御部３及び照明部２の調光を行う調光盤４によって構成される。通常、照明部２、照明制御部３及び調光盤４は、相互に異なる設置場所に設置されている。調光盤４は、複数の調光器５ａ１，５ａ２，，…，５ｂ１，５ｂ２，…，…（以下、代表して調光器５という）を有している。
【００１９】
照明部２はスタジオ等の照明空間に配置される複数の照明バトン１５ａ，１５ｂ，…（以下、代表して照明バトン１５という）を有している。照明バトン１５ａは、配線等が収納された照明ボックス１６ａ及び照明ボックス１６ａに支持された吊り具１４ａによって構成される。照明バトン１５ａは、図示しない支持部材に支持されて天井等に昇降自在に取り付けられることが一般的である。なお、図１では１つの吊り具１４ａ及び照明ボックス１６ａによって構成される照明バトン１５ａのみを示しているが、他の照明バトン１５ｂ，…の構成も照明バトン１５ａと同様である。
【００２０】
図２は照明バトン１５に設けられた接続端子と照明器具との配置を平面的に示す説明図である。図１及び図２に示すように、各照明バトン１５には、複数の照明器具Ｈ１，Ｈ２，…，Ｌ１，Ｌ２，，…が取り付けられている。なお、図１及び図２では、照明バトン１５に７個の照明器具Ｈ１〜Ｈ３，Ｌ１〜Ｌ４が取り付けられることを示しているが、取り付け個数等は自由に設定可能である。
【００２１】
照明器具Ｈ１〜Ｈ３（以下、代表して照明器具Ｈという）の光源は、調光器５によって夫々調光制御される例えばハロゲンランプ等であり、照明器具Ｌ１〜Ｌ４（以下、代表して照明器具Ｌという）の光源は調光器５から電力の供給を受ける必要が無い例えばＬＥＤ等である。本実施の形態においては、照明器具Ｌは、ＲＤＭ対応機器であるものとして説明する。
【００２２】
照明バトン１５ａには、各照明器具Ｈ，Ｌを取り付けるための取り付け器具８ａ１〜８ａ７（以下、代表して取り付け器具８という）が設けられている。また、照明バトン１５ａには、これらの取り付け器具８ａ１〜８ａ７近傍に、照明器具Ｈに負荷線１７を介して調光器５からの電力を供給するための接続端子Ｄ１〜Ｄ３と、照明器具Ｌに電源線１８を介して商用交流電源１００Ｖを供給するための接続端子Ｅ１〜Ｅ４と、制御線１１を介して伝送される調光信号を照明器具Ｌに供給するための接続端子Ｆ１〜Ｆ３とが配設されている。
【００２３】
照明器具Ｈ１〜Ｈ３の各コネクタＨ１ａ〜Ｈ３ａは、夫々接続端子Ｄ１〜Ｄ３に接続されており、各照明器具Ｈは各調光器５から夫々電力の供給を受けて点灯制御される。一方、照明器具Ｌ１〜Ｌ４は、夫々電源コネクタＬ１ｂ〜Ｌ４ｂを有しており、これらの電源コネクタＬ１ｂ〜Ｌ４ｂを夫々接続端子Ｅ１〜Ｅ４に接続することで、照明器具Ｌ１〜Ｌ４への電源供給が行われる。また、照明器具１〜Ｌ３は夫々制御コネクタＬ１ａ〜Ｌ３ａを有しており、これらの制御コネクタＬ１ａ〜Ｌ３ａを夫々接続端子Ｆ１〜Ｆ３に接続することで、照明器具Ｌ１〜Ｌ３に制御信号が供給されるようになっている。なお、照明器具Ｌ４は、制御線Ｌ４ｃが照明器具Ｌ３に接続され、照明器具Ｌ３の制御コネクタＬ３ａ及び制御線Ｌ４ｃを介して制御信号が供給されるようになっている。
【００２４】
照明器具Ｈ，Ｌの配置位置を規定する取り付け器具８ａ１〜８ａ７に対応して、接続端子Ｄ１〜Ｄ３，Ｅ１〜Ｅ４，Ｆ１〜Ｆ３が設けられている。後述するように、照明制御部３は、これらの接続端子Ｄ１〜Ｄ３と調光器５との対応関係又は接続端子Ｆ１〜Ｆ３（Ｅ１〜Ｅ４）と各照明器具ＬのＩＤとの対応関係に基づいて、各照明器具Ｈ，Ｌの配置位置を認識するようになっている。
【００２５】
図３は照明部２が配置される照明空間における各照明器具の配置を示す配置図である。図３の例では、２列×５行で配置される１０個の照明バトン１５ａ〜１５ｊが照明空間内に配置されていることを示している。上述したように各照明バトン１５ｂ〜１５ｊは、図１の照明バトン１５ａと同様の構成であり、各照明バトン１５ｂ〜１５ｊには、照明バトン１５ａに設けられている取り付け器具８ａ１〜８ａ７と同様の７つの取り付け器具８が設けられていることを丸印によって示している。
【００２６】
照明制御部３は、図２の配置図のデータを保持している。各照明器具の位置は、照明バトン１５ａ〜１５ｊの取り付け器具８の位置によって規定されるようになっており、照明制御部３は、各取り付け器具８の位置にアドレス＃ａ１〜＃ａ７，＃ｂ１〜＃ｂ７，…，＃ｊ１〜＃ｊ７を割当てる。
【００２７】
照明器具Ｈについては、電力供給用の接続端子Ｄ１〜Ｄ３と各調光器５ａ１〜５ａ３とが１対１に対応している。また、接続端子Ｄ１〜Ｄ３と取り付け器具８ａ１，８ａ３，８ａ５とを対応付けて照明器具Ｈ１〜Ｈ３を設置する。これにより、照明制御部３は、取り付け器具８ａ１，８ａ３，８ａ５に取り付けられた照明器具Ｈ１〜Ｈ３に、図２のアドレス＃ａ１，＃ａ３，＃ａ５を割当てる。接続端子Ｄ１〜Ｄ３は、調光器５ａ１〜５ａ３に対応しており、照明制御部３は、アドレス＃ａ１，＃ａ３，＃ａ５の照明器具を調光制御する場合には、制御線１２を介して調光器５ａ１〜５ａ３に対する調光制御信号を出力すれば良い。
【００２８】
全ての照明バトンの接続端子Ｄ１〜Ｄ３には、対応する取り付け器具８に取り付けられた照明器具Ｈのコネクタが接続されて、対応する調光器５から電力が供給されるようになっており、照明制御部３は、各照明器具Ｈの設置位置を調光器に対応付けて把握することができる。
【００２９】
これに対し、照明器具Ｌは、調光器５に対応付けることはできない。そこで、本実施の形態においては、照明器具Ｌの制御コネクタが接続される接続端子に、アドレスを割当てるＲＤＭノード設定部１９を採用することで、照明器具Ｌの配置位置を自動認識可能にしている。
【００３０】
図４は図１中のＲＤＭノード設定部の具体的な構成を示すブロック図である。図１の例では照明バトン１５ａに１つのＲＤＭノード設定部１９ａが設けられている例を示しており、他の照明バトン１５ｂ〜１５ｊには図示しないＲＤＭノード設定部（以下、代表してノード設定部１９という）が設けられている。なお、照明部２には、１つ以上のＲＤＭノード設定部が設けられていればよく、１つの照明バトン１５に複数のＲＭＤノード設定部を設けてもよく、複数の照明バトン１５に１つのＲＤＭノード設定部を設けてもよい。
【００３１】
図４は照明制御部３からの制御線１１としてＬＡＮケーブルを採用する例を示している。照明部２に設けられた各ＲＤＭノード設定部１９にはアドレスが割り付けられており、照明制御部３は、希望するＲＤＭノード設定部１９との間で双方向の通信が可能である。なお、照明制御部３とＲＤＭノード設定部１９との間の通信は、ＬＡＮに限らず種々の通信方式を採用することができ、例えばアートネットやＲＤＭ方式を採用してもよい。
【００３２】
ＲＤＭノード設定部１９のＬＡＮインターフェース（Ｉ／Ｆ）２１は、自機宛のＬＡＮパケットを取り込んで制御部２２において処理可能なデータに変換して制御部２２に与える。また、ＬＡＮＩ／Ｆ２１は、制御部２２からのデータをＬＡＮ規格のパケットに変換してＬＡＮケーブル等の制御線１１を介して照明制御部３に送信する。なお、制御線１１を無線伝送路により構成することも可能である。
【００３３】
照明制御部３は、制御線１１を介して照明器具Ｌを調光制御するための調光制御信号を伝送することができると共に、照明器具Ｌの配置位置を確認するためのアドレス設定モードで動作することができる。照明制御部３は、アドレス設定モードにおいて、照明器具ＬのＩＤを送信させるためのＩＤ送信命令を伝送する。
【００３４】
ＲＤＭノード設定部１９の制御部２２は、ＩＤ送信命令を受信すると、各照明器具ＬにＩＤを送信させるための命令を生成してＲＤＭＩ／ＦＰ１〜Ｐ３に順次出力する。ＲＤＭＩ／ＦＰ１〜Ｐ３は、照明バトン１５の接続端子Ｆ１〜Ｆ３に夫々接続されており、制御部２２からのデータをＲＤＭ信号に変換して送信すると共に、接続端子Ｆ１〜Ｆ３を介して受信したＲＤＭ信号を制御部２２において処理可能な信号に変換して制御部２２に出力する。
【００３５】
なお、信号変換等の処理は、ＲＤＭノード設定部１９として行えばよく、制御部２２、ＲＤＭＩ／ＦＰ１〜Ｐ３あるいはその他の部分、さらには、これらが総合して行うものであってもよい。
【００３６】
また、ＲＤＭＩ／Ｆは、１つのＲＤＭノード設定部１９が管理する接続端子Ｆ１，Ｆ２，…の数だけ設ければよく、例えば、１つのＲＤＭノード設定部１９が１つの接続端子Ｆ１のみを管理する場合には、１つのＲＤＭＩ／Ｆを設ければよい。
【００３７】
図１の例では、接続端子Ｆ１〜Ｆ３は照明器具Ｌ１〜Ｌ３の制御コネクタＬ１ａ〜Ｌ３ａに接続されており、ＩＤ送信命令は、各制御コネクタＬ１ａ〜Ｌ３ａを介して各照明器具Ｌ１〜Ｌ３に供給されると共に、更に照明器具Ｌ３から制御線Ｌ４ｃを介して照明器具Ｌ４に供給される。
【００３８】
ＲＤＭ対応機器は、ＩＤ送信命令を受信すると、自機のＩＤ等の情報を送信するように構成されており、各照明器具Ｌ１〜Ｌ４は、自機のＩＤをＲＤＭ信号として送信する。これらのＲＤＭ信号は、接続端子Ｆ１〜Ｆ３を介してＲＤＭノード設定部１９の各ＲＤＭＩ／ＦＰ１〜Ｐ３に与えられる。
【００３９】
ＲＤＭノード設定部１９は、記憶部２３に自機のアドレスを保持しており、制御部２２は、各照明器具Ｌ１〜Ｌ４のＩＤに、自機のアドレス及びＲＤＭＩ／ＦＰ１〜Ｐ３のアドレス（以下、ＲＤＭアドレスという）を付加して、応答データとしてＬＡＮＩ／Ｆ２１を介して照明制御部３に送信する。なお、ＲＤＭＩ／ＦＰ３については照明器具Ｌ３，Ｌ４からＩＤが送信されており、これらのＩＤ毎に異なるＲＤＭアドレスを付加する。
【００４０】
例えば、制御部２２は、自機のアドレスが＠ａであるものとすると、照明器具Ｌ１からのＩＤにはＲＤＭアドレスとして＠ａｐ１を付加し、照明器具Ｌ２からのＩＤにはＲＤＭアドレスとして＠ａｐ２を付加し、照明器具Ｌ３からのＩＤにはＲＤＭアドレスとして＠ａｐ３−１を付加し、照明器具Ｌ４からのＩＤにはＲＤＭアドレスとして＠ａｐ３−２を付加する。
【００４１】
照明制御部３には、ＩＤ送信命令に応答して、照明部２の各ＲＤＭノード設定部１９から、各照明器具ＬのＩＤ及びＲＤＭアドレスの情報が伝送される。このＲＤＭアドレスの情報は、ＲＤＭノード設定部１９のＲＤＭＩ／Ｆに接続された昇降バトン１５の接続端子Ｆ１，Ｆ２，…（Ｅ１，Ｅ２，…）に対応しており、これらの接続端子と取り付け器具８との対応から、照明制御部３は、いずれのＩＤの照明器具Ｌがいずれの位置に配置されているかを把握することができる。
【００４２】
次に、このように構成された実施の形態の動作について図５乃至図７を参照して説明する。図５は照明制御部３の制御を示すフローチャートであり、図６はＲＤＭノード設定部１９の制御を示すフローチャートであり、図７は照明バトン１５ａについて各照明器具の配置図の作成を説明するための説明図である。
【００４３】
図５のステップＳ１において、照明制御部３は、完成された配置図が構築されているか否かを判定する。照明器具Ｈについては、各照明バトン１５の各接続端子Ｄ１，Ｄ２，…と各調光器５との接続関係が既知であれば、照明器具Ｈを新たに照明バトン１５に取り付ける場合でも、照明器具Ｈの配置は把握されている。これに対し、照明器具ＬのＩＤ登録（配置登録）が行われていない場合や、新たな照明器具Ｌを照明バトン１５に取り付けた場合等においては、取り付けた照明器具Ｌの配置位置は不明であり、配置図は完成されていない。この場合には、照明制御部３はアドレス設定モードを設定し（ステップＳ２）、各照明器具Ｌに対してＩＤ送信命令を発する。
【００４４】
このＩＤ送信命令は、ＬＡＮケーブル等の制御線１１を介して各ＲＤＭノード設定部１９に与えられる。ＲＤＭノード設定部１９は、図６のステップＳ１１において、照明制御部３からのデータを受信し、受信データがＩＤ送信命令であるか否かを判定する（ステップＳ１２）。受信データが調光制御信号である場合には、指定されたＲＤＭアドレスの機器に対する調光制御信号がＲＤＭ信号に変換されて送信される（ステップＳ１７）。
【００４５】
ＲＤＭノード設定部１９の制御部２２は、ＩＤ送信命令を受信すると、このＩＤ送信命令をＲＤＭＩ／ＦＰ１〜Ｐ３に与えて、ＲＤＭ信号として送信させる（ステップＳ１３）。ＲＤＭＩ／ＦＰ１〜Ｐ３は、接続端子Ｆ１〜Ｆ３、制御コネクタＬ１ａ〜Ｌ３ａを介して照明器具Ｌ１〜Ｌ３及び照明器具Ｌ４に接続されており、照明器具Ｌ１〜Ｌ４にＩＤ送信命令が与えられる。ＲＤＭ対応の照明器具Ｌ１ 〜Ｌ４は、自機のＩＤを送信する。
【００４６】
制御部２２は、ステップＳ１４において、ＲＤＭＩ／ＦＰ１〜Ｐ３を介して各照明器具Ｌ１〜Ｌ４のＩＤを受信する。例えば、照明器具Ｌ１〜Ｌ４の各ＩＤがＩＤ０００１，ＩＤ０００２，ＩＤ０００３であるものとする。制御部２２は、これらのＩＤにＲＤＭアドレスを付与して照明制御部３への応答データを生成する。例えば、照明器具Ｌ１については、応答データとしてＩＤ０００１＠ａｐ１を含むデータを生成する。制御部２２は、照明制御部３に生成した応答データを送信する（ステップＳ１６）。
【００４７】
照明制御部３は、ステップＳ４において応答データを受信すると、ステップＳ５において配置図を完成させる。図７は照明バトン１５ａについて、配置図の作成の仕方を示している。上述したように、調光器５ａ１〜５ａ３が取り付け器具８ａ１，８ａ３，８ａ５に対応しており、照明器具Ｈ１〜Ｈ３については、取り付け器具８ａ１，８ａ３，８ａ５に割当てたアドレス＃ａ１，＃ａ３，＃ａ５に配置されていることが分かっている。
【００４８】
更に、ＲＤＭノード設定部１９ａからの応答データにより、照明制御部３は、ＩＤ０００１の照明器具Ｌ１はＲＤＭアドレスが＠ａｐ１で、ＩＤ０００２の照明器具Ｌ２はＲＤＭアドレスが＠ａｐ２で、ＩＤ０００３の照明器具Ｌ３はＲＤＭアドレスが＠ａｐ３−１で、ＩＤ０００４の照明器具Ｌ４はＲＤＭアドレスが＠ａｐ３−２であることが分かる。また、ＲＤＭアドレス＠ａｐ１，＠ａｐ２，＠ａｐ３−１，＠ａｐ３−２は、夫々取り付け器具８ａ２，８ａ４，８ａ６，８ａ７に対応しているので、図７に示すように、照明器具Ｌ１〜Ｌ４についても配置位置のアドレス＃ａ２，＃ａ４，＃ａ６，＃ａ７が明らかとなる。なお、他の照明バトン１５ｂ〜１５ｊについても同様に配置図を完成させる。
【００４９】
照明制御部３は、以後完成させた配置図を利用して、例えば配置用の照明器具を選択することで、所望の位置の照明器具Ｈ，Ｌを調光制御する（ステップＳ６）。この場合、配置図上またはその周辺に照明器具の点消灯、調光レベル、調色レベル等の器具情報を表示するようにしてもよい。
【００５０】
このように本実施の形態においては、調光器から電力の供給を受ける必要が無い照明器具については、照明器具の取付位置に対応した接続端子を設け、この接続端子に接続するＲＤＭノード設定部のポートのアドレスを用いて、この接続端子のアドレスを通知可能にする。これにより、調光器を必要としない照明器具であっても、照明制御部において、自動的に各照明器具の配置位置を把握することができる。
【００５１】
（第２の実施の形態）
図８は本発明の第２の実施の形態を示す説明図である。図８において図１と同一の構成要素には同一符号を付して説明を省略する。
【００５２】
本実施の形態はＲＤＭ非対応の照明器具に対応したものである。本実施の形態は照明器具Ｌ１に代えて照明器具Ｌ５を採用したものである。照明器具Ｌ５は、調光器５から電力の供給を受ける必要が無いＬＥＤランプ等の照明器具であり、制御コネクタＬ５ａ及び電源コネクタＬ５ｂを有している。照明器具Ｌ５は、ＲＤＭ対応機器ではなく、ＲＤＭ信号を受信してＩＤを送信する機能を有していない。
【００５３】
本実施の形態においては、ＲＤＭ信号の送受信が可能なＲＤＭ変換部３１を採用する。照明器具Ｌ５の制御端子Ｌ５ａ，電源端子Ｌ５ｂをＲＤＭ変換部３１の各コネクタに接続し、ＲＤＭ変換部３１の制御コネクタ３１ａ及び電源コネクタ３１ｂを夫々接続端子Ｆ１，Ｅ１に接続する。これにより、照明器具Ｌ５は、接続端子Ｅ１から電源コネクタ３１ｂ，Ｌ５ｂを介して電源電圧が供給され、接続端子Ｆ１から制御コネクタ３１ａ，Ｌ５ａを介して調光制御信号が供給される。
【００５４】
ＲＤＭ変換部３１は、図示しないメモリ部を有しており、このメモリ部に照明器具Ｌ５に関する情報を記憶させることができる。例えば、ＲＤＭ変換部３１は、照明器具Ｌ５に割当てられたＩＤ情報を保持する。なお、ＲＤＭ変換部３１は、照明器具Ｌ５についてのその他の情報、例えば照明器具の種類や製造メーカー等の情報を保持するようにしてもよい。
【００５５】
ＲＤＭ変換部３１は、ＲＤＭノード設定部１９からのＩＤ送信命令やその他の問い合わせに対して、照明器具Ｌ５のＩＤ情報や対応する情報を返信することができるようになっている。
【００５６】
このように構成された実施の形態においては、照明制御部３からのＩＤ送信命令に対して、ＲＤＭノード設定部１９ａは、ＲＤＭ変換部３１からの情報に基づいて応答データを生成することができる。例えば、照明器具Ｌ５のＩＤがＩＤ０００５である場合には、応答データとしてＩＤ０００５＠ｐａ１の情報を含むデータを生成して送信することができる。
【００５７】
他の作用は第１の実施の形態と同様であり、本実施の形態においては、照明制御部３は、調光器を必要としない照明器具であっても、自動的に各照明器具の配置位置を把握することができる。
【００５８】
このように本実施の形態においては、第１の実施の形態と同様の効果が得られると共に、ＲＤＭ非対応機器であっても、照明器具の配置図の自動生成が可能であるという利点がある。
【００５９】
なお、ＲＤＭ変換部をハロゲンランプ器具等に適用することも可能である。例えば、ハロゲンランプ器具等においても調光器を内蔵させることが考えられる。この場合には、調光盤の調光器と取付位置とを１対１に対応させることはできない。しかし、ＲＤＭ変換部を用いることで、このような調光器内蔵型のＲＤＭ非対応照明器具であっても、配置図の自動生成が可能である。
【００６０】
なお、上記各実施の形態において、調光器を必要とする照明器具を採用しない場合には、調光盤及び調光器に接続するための接続端子は省略することができる。
【００６１】
また、点灯制御手段を内蔵する照明器具の他の例としては、レーザーダイオード、有機ＬＥ素子等の半導体発光素子を光源とするものが挙げられる。
【００６２】
また、照明バトン側において、各照明器具のＩＤ等の収集は、照明制御部からのＩＤ送信命令に同期することなく事前に行っておき、ＩＤ送信命令に応じて返信するようにしてもよい。
【００６３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６４】
１…照明制御システム、２…照明部、３…照明制御部、４…調光盤、５ａ１，５ａ２，…調光器、８ａ１，８ａ２，…取り付け器具、１１，１２…制御線、１７…負荷線、１８…電源線、１９ａ…ＲＤＭノード設定部、Ｈ１〜Ｈ３，Ｌ１〜Ｌ４…照明器具、Ｄ１〜Ｄ３，Ｆ１〜Ｆ３，Ｅ１〜Ｅ４…接続端子。
【図１】
2014216303.tif 000003
【図２】
2014216303.tif 000004
【図３】
2014216303.tif 000005
【図４】
2014216303.tif 000006
【図５】
2014216303.tif 000007
【図６】
2014216303.tif 000008
【図７】
2014216303.tif 000009
【図８】
2014216303.tif 000010